(57)【特許請求の範囲】
【請求項１】
出金紙幣を集積させる上下動可能なステージと、
前記ステージの上方に開閉可能に設けられ、閉じた状態で紙幣を集積するサブステージと、
前記サブステージの上方に設けられ、前記サブステージ上または前記ステージ上に紙幣を集積可能で、前記サブステージ上または前記ステージ上の紙幣を繰り出し可能な繰り出し集積機構と、
を有する一時プール装置を備え、
入金取引の際に、入金紙幣の鑑別を行って、異常と判断された紙幣を前記サブステージ上に集積させ、前記入金紙幣の鑑別が終了した後に、前記サブステージ上の紙幣を顧客に返却することを特徴とする自動取引装置。
【請求項２】
請求項１記載の自動取引装置において、
前記一時プール装置のサブステージは、２枚の板状体を回転可能に接続した構造として、
前記２枚の板状体を広げた状態で前記ステージの上方に位置させた状態を、前記サブステージの閉じた状態とし、
前記２枚の板状体を折り畳むようにして前記ステージの上方から退避させた状態を、前記サブステージの開いた状態とすることを特徴とする自動取引装置。
【請求項３】
請求項２記載の自動取引装置において、
前記一時プール装置に、サブステージの上下動時にサブステージの回転を抑えるロック機構と、その回転時に前記ロックを解除するロック解除機構とを設けたことを特徴とする自動取引装置。
【請求項４】
請求項２記載の自動取引装置において、
前記一時プール装置のサブステージの上方にカムを配置し、このカムにサブステージの板状体の自由端が摺動することにより、サブステージが折り畳まれるように回転するようにしたことを特徴とする自動取引装置。
【請求項５】
請求項１記載の自動取引装置において、
全ての取引の受付可能時に、前記一時プール装置のサブステージを開いてステージ上にあらかじめ紙幣を集積させておき、出金取引の際には、そのステージ上に集積された紙幣を出金用に使用することを特徴とする自動取引装置。
【発明の詳細な説明】
【０００１】
【発明の属する技術分野】
本発明は、顧客の操作により紙幣の預け入れや支払い等を自動的に行う自動取引装置に関するもので、特に、決済端末等、小型の自動取引装置に関し、運用の高速化に適するものである。
【０００２】
【従来の技術】
自動取引装置は、顧客が金融機関に預け入れる紙幣を取り込んだり、金融機関に預けられている紙幣を顧客に支払うものであり、顧客が預け入れた紙幣および顧客に支払うための紙幣を収納するための紙幣収納庫が設けられている。
従来の自動取引装置では、一般的に紙幣を金種別に収納することとしており、少なくとも、千券と万券は別々の紙幣収納庫に収納しているものが多い。これに加え、個々の紙幣収納庫を取り出すことなく紙幣の補充および回収を行えるように補充回収カセットを備えているため、複数の紙幣収納庫が必要で、装置が大型化するという問題があった。
【０００３】
この問題を解決するため、千券又は万券のいずれか一方を専用の紙幣収納庫に収納し、他方の紙幣を補充回収カセットに収納し、千券と万券を分けて運用させることで、紙幣収納庫の数を減らして小型化を図った自動取引装置が提案されている。
この種の自動取引装置では、入金取引の際には、紙幣入出金口に入金された紙幣を取り込み、鑑別部で正損・計数・鑑別等を行い、正常な紙幣は、紙幣収納庫に隣接して設けられる一時保留部に集積し、取引成立後に、金種毎に紙幣収納庫や補充回収カセットに収納するようになっている。また、入金取引の際に異常な紙幣が投入された場合には、鑑別部でその異常を検知し、正常な紙幣と分けて集積するためのエスクロウ部に異常な紙幣を集積し、投入された紙幣の全てを鑑別部で正損・計数・鑑別等した後に、エスクロウ部から異常な紙幣を繰り出して紙幣入出金口に送り、顧客に返却するようになっている。これにより、入金取引の際に、鑑別不能等の紙幣を顧客に返却する時間を短縮し、一取引の高速処理化を図っていた。
【０００４】
また、出金取引の際には、顧客が出金取引を選択した後に、顧客が暗証番号や出金金額等の出金取引に必要な情報を入力している間に、自動取引装置では、あらかじめ経験的に出金取引に必要とされる枚数の紙幣を紙幣収納庫から繰り出して、前記エスクロウ部に紙幣を集積しておく。そして、顧客が出金金額を入力し、出金取引が成立した場合には、あらかじめエスクロウ部に集積していた紙幣から紙幣入出金口に繰り出して出金するようにしていた。これにより、出金取引の高速処理化を図っていた。
【０００５】
【発明が解決しようとする課題】
しかしながら、上述した従来の自動取引装置では、顧客が出金取引を選択した後に、例えば、紙幣収納庫から千券を経験によって決定される枚数を繰り出し、エスクロウ部に集積させ、出金金額分を出金して取引終了後に、複数枚の千券がエスクロウ部に残っている場合には、エスクロウ部から紙幣収納庫に千券を再び戻す動作が必要である。このため、次の取引を行うまでに時間がかかってしまう問題があった。このような動作は、自動取引装置の処理にとっては、無駄な動作であり、また、かかる動作中に紙幣ジャム等の不測の事態を招くこともあるため、できるだけ行わなくてもよくすることが好ましい。そこで、入金および出金取引の高速処理化に適し、小型な自動取引装置を提供することを目的とする。
【０００６】
【課題を解決するための手段】
そのため、本発明は、出金紙幣を集積させる上下動可能なステージと、前記ステージの上方に開閉可能に設けられ、閉じた状態で紙幣を集積するサブステージと、前記サブステージの上方に設けられ、前記サブステージ上または前記ステージ上に紙幣を集積可能で、前記サブステージ上または前記ステージ上の紙幣を繰り出し可能な繰り出し集積機構と、を有する一時プール装置を備え、入金取引の際に、入金紙幣の鑑別を行って、異常と判断された紙幣を前記サブステージ上に集積させ、前記入金紙幣の鑑別が終了した後に、前記サブステージ上の紙幣を顧客に返却することを特徴とする。
【０００７】
なお、前記一時プール装置のサブステージは、２枚の板状体を回転可能に接続すると共に上下動する部材に回転可能に取り付けた構造として、前記２枚の板状体を広げた状態で前記ステージの上方に位置させた状態を、前記サブステージの閉じた状態とし、前記２枚の板状体を折り畳むようにして前記ステージの上方から退避させた状態を、前記サブステージの開いた状態とすることを特徴とする。
また、前記一時プール装置に、サブステージの上下動時にサブステージの回転を抑えるロック機構と、その回転時に前記ロックを解除するロック解除機構とを設けたことを特徴とする。
また、前記一時プール装置のサブステージの上方にカムを配置し、このカムにサブステージの板状体の自由端が摺動することにより、サブステージが折り畳まれるように回転するようにしたことを特徴とする。
【０００８】
また、全ての取引の受付可能時に、前記一時プール装置のサブステージを開いてステージ上にあらかじめ紙幣を集積させておき、出金取引の際には、そのステージ上に集積された紙幣を出金用に使用することを特徴とする。
【０００９】
【発明の実施の形態】
以下に、図面を参照して、本発明の実施の形態を説明する。
図１は、本発明の実施の形態の自動取引装置を示す側面図である。
図において、自動取引装置１には紙幣入出金機２が内蔵されている。紙幣入出金機２は顧客の預け入れ要求や支払い要求に応じて紙幣の入金動作や出金動作を行うもので、内部には、紙幣を収納する紙幣収納庫３、この紙幣収納庫３より小型の紙幣収納庫であって本実施の形態に特有の一時プール装置４、紙幣の鑑別を行う鑑別部５、預け入れる紙幣を受け入れるとともに支払う紙幣を払い出す接客口６、紙幣を収納するとともに紙幣収納庫３に対して紙幣の補充または回収を行う補充回収カセット７、出金動作時に顧客が取り忘れた紙幣を収納する取り忘れ紙幣収納庫８および出金動作時や回収動作時に鑑別部５により真券と鑑別されなかった紙幣を収納するリジェクト紙幣収納庫９がそれぞれ設けられている。
【００１０】
紙幣収納庫３の上部には一時保留部１０が設けられている。この一時保留部１０は、複数のローラ群等を備えて紙幣の分離繰り出しおよび集積を行う分離繰り出し集積部１１と、この分離繰り出し集積部１１の下に開閉可能に備えられる図示しないシャッタ等から構成され、シャッタを閉状態として分離繰り出し集積部１１の動作によりこのシャッタ上に紙幣を集積して一時保留させるとともに、シャッタ上に一時保留させた紙幣を分離繰り出し集積部１１の動作により繰り出す動作、シャッタを開いて該シャッタ上の紙幣を紙幣収納庫３に収納する動作、および、シャッタを開状態として分離繰り出し集積部１１の動作により紙幣収納庫３内の紙幣を繰り出す動作を行う。
【００１１】
また、紙幣収納庫３内にはステージ３ａが上下動可能に設けられ、紙幣はこのステージ３ａ上に積載される。鑑別部５は紙幣の金種、真偽、正損等を鑑別する。なお、この鑑別部５は双方向に搬送される紙幣のどちらでも鑑別可能となっている。
一時プール装置４には、出金紙幣を集積させるとともに集積状態で紙幣を搭載して上下動可能なステージ４ａと、ステージ４ａの上方に開閉可能に設けられ閉じた状態で入金返却紙幣を一時的に集積するサブステージ４ｂと前記サブステージ４ｂ上方に設けられ、閉じた状態のサブステージ４ｂ上に紙幣を集積させ、またサブステージ４ｂが開いた状態ではステージ４ａ上に紙幣を集積させるとともにサブステージ４ｂ上あるいはステージ４ａ上の紙幣を繰り出す繰り出し集積機構を有している。
【００１２】
補充回収カセット７には、紙幣の分離繰り出しを行う分離繰り出し部１２、紙幣を内部に引き入れる集積部１３，１４が設けられている。また、分離繰り出し部１２に対応して紙幣収納部１５が設けられ、集積部１３に対応して回収された紙幣が収納される回収部１６が設けられ、集積部１４に対応して紙幣補充の際に出金用紙幣として不適と判定された紙幣が収納されるリジェクト紙幣収納部１７が設けられている。
【００１３】
紙幣収納部１５にはステージ１５ａが上下動可能に設けられており、紙幣はこのステージ１５ａ上に積載される。ステージ１５ａの位置は紙幣の枚数によって上下に変化し、分離繰り出し部１２による紙幣の繰り出しに伴い、ステージ１５ａは上昇する。１６ａは仕切り板で、この仕切り板１６ａと、回収部１６の図示しないステージ、そしてステージ１５ａの共働により、回収部１６に収納した紙幣を前記ステージ１５ａ上に積み替える機構が備えられ、回収部１６に収納した紙幣を再度補充や出金に用いることが可能となっている。
【００１４】
なお、補充回収カセット７は自動取引装置１に対して着脱可能になっている。上記の各部間には、紙幣を搬送する紙幣搬送路１８が設けられている。そして、紙幣搬送路１８の各分岐点には紙幣の搬送方向を切り替える切り替えブレード１９ａ〜１９ｇがそれぞれ設けられる。この紙幣搬送路１８は所定の位置に設けられたローラ群やベルト群の駆動により紙幣を双方向に搬送可能にしている。
【００１５】
自動取引装置１の前方には顧客が操作を行う顧客操作部２０が設けられている。顧客操作部２０は例えば表示部付きタッチパネル等で構成され、顧客が取引種別、取引金額、暗証番号等を入力できるようになっている、
なお、自動取引装置１には、上記構成の他に、図示しないが明細票印刷装置、カード処理装置等が設けられている。
【００１６】
次に、自動取引装置の制御系を説明する。図２は、実施の形態の自動取引装置の一例を示すブロック図である。
図において、主制御部３１は自動取引装置１の動作全体を制御するもので、この主制御部３１には、顧客操作部２０および紙幣入出金機２が接続されている。主制御部３１には、さらに、図示していないが明細票印刷装置、カード処理装置等、自動取引装置を構成するのに必要な装置類が接続される。
【００１７】
主制御部３１は紙幣入出金機２の紙幣入出金機制御部３２に接続され、該制御部３２を制御する。紙幣入出金機制御部３２は、紙幣入出金機２の動作全体を制御するもので、Ｉ／Ｏインタフェース回路３３を介して、図１で説明した各部に接続されている。モータ駆動回路３４はモータ３５を駆動する回路で、このモータ３５を駆動することにより分離繰り出し集積部１１が作動し、一時保留部１０における紙幣の集積および分離繰り出しを行う。
【００１８】
モータ駆動回路３６はモータ３７を駆動する回路で、このモータ３７を駆動することにより、紙幣収納庫３のステージ３ａの上昇および下降動作を行う。
モータ駆動回路３８はモータ３９を駆動する回路で、このモータ３９を駆動することにより、一時プール装置４への紙幣の集積を行うとともに、この一時プール装置４からの紙幣の分離繰り出しを行う。モータ駆動回路４０はモータ４１を駆動する回路で、このモータ４１を駆動することにより、補充回収カセット７への紙幣の集積を行うとともに補充回数カセットからの紙幣の繰り出しを行う。
【００１９】
モータ駆動回路４２はモータ４３を駆動する回路で、このモータ４３を駆動することにより、紙幣搬送路１８のローラ群やベルト群が作動して紙幣が搬送可能になる。なお、紙幣は双方向に搬送可能である。
マグネット駆動回路４４はプランジャマグネット４５を駆動する回路で、このプランジャマグネット４５を駆動することにより、紙幣搬送路１８に設けられた切り替えブレード１９ａ〜１９ｇを作動させる。
【００２０】
上述した紙幣入出金機制御部３２は鑑別部５にも接続されており、鑑別部５で紙幣の鑑別を行うとその鑑別情報が紙幣入出金機制御部３２へ送られ、紙幣入出金機制御部３２はこの情報に基づいて金種、真偽、走行状態等を鑑別する。
ここで、一時プール装置４の機構例を説明する。図３は、一時プール装置の側面図である。
【００２１】
図３において、ステージ４ａは、図示しないモータを駆動源として回転するプーリ６１とこのプーリ６１の上方に配置されたプーリ６２と、両プーリ６１，  ６２に巻きかけられたベルト６３から成り立つ上下移動機構と、ステージ４ａと一体になっているホルダ６４にベルト６３の一部をベルトクランプ６５で挟み付けて固定してある。従って、プーリ６１を時計方向または反時計方向に回転させてベルト６３を駆動することによりステージ４ａは上下動する。
【００２２】
ステージ４ａの下方には、ステージ４ａがボトムまで下がるとステージ４ａにより押されて回転するロック解除レバ６６が備え付けられている。このロック解除レバ６６には図示せぬトーションスプリングが取り付けられており、ステージ４ａが上昇すると元の位置に戻る機構になっている。
ステージ４ａの上方には、サブステージＦ６７、サブステージＲ６８、サブステージサポート６９で構成されているサブステージ４ｂが設けられている。
【００２３】
サブステージＦ６７は、サブステージＲ６８に対して下方向に折れ曲がることが可能な構造となっており、通常は図示せぬトーションスプリングによって図３に示す状態を保っている。
サブステージＲ６８は、サブステージサポート６９に対して回転自在になっている。また、サブステージＲ６８にはギヤ７０が備えつけられている。ギヤ７０は、ギヤ７０の下方に設けられた図示しないモータを駆動源として回転するギヤ７１と噛み合いサブステージ４ｂを回転させる。
【００２４】
サブステージ４ｂの上方には、サブステージ４ｂ上あるいはステージ４ａ上の紙幣を繰り出す繰り出し集積機構７９とカム７２が設けられている。
次に、サブステージ４ｂの詳細例を、図３および図４をもとに説明する。図４は、サブステージの斜視図である。
図において、サブステージＦ６７に備えつけられたカムローラ７３は、サブステージ４ｂが回転すると前記カム７２に当たりサブステージＦ６７を折り畳む役目をする。サブステージサポート６９には、サブステージ４ｂが上下動するときサブステージＲ６８のロックポスト７４をロックすることによりサブステージ４ｂの回転を止めるロックレバ７５が備えてある。このロックレバ７５は、前記ロック解除レバ６６により回転させられる構造となっている。なお、図においては、このロックレバ７５は、通常は図示せぬトーションスプリングによってロックポスト７４をロックしている状態を示している。
【００２５】
一方、サブステージサポート６９には、ローラ７６が備えつけられておりレール７７に沿ってサブステージ４ｂを上下動可能にしている。また、サブステージサポート６９には、スプリング７８が引っかけられており常にサブステージ４ｂを下方へ引っ張っている。
次に、本発明の一時プール装置４のサブステージ４ｂの上下動作を説明する。
【００２６】
まず、図３において、ステージ４ａを上方向に動かすことによりステージ４ａまたはステージ４ａ上に集積された紙幣に押し上げられサブステージ４ｂは上昇する。また、ステージ４ａを下方向に動かすとスプリング７８によりステージ４ａまたはステージ４ａ上に集積された紙幣に追従してサブステージ４ｂは下降する。サブステージ４ｂの上下動時、ロックレバ７５は常にロックポスト７４をロックしておりサブステージ４ｂが回転できないようになっている。
【００２７】
図５は、ロックレバ７５の解除動作の説明図である。
図５において、ステージ４ａが図に示す位置まで下がる。すると、まず最初にステージ４ａまたはステージ４ａ上に集積されている紙幣に追従してサブステージ４ｂも下がる。サブステージ４ｂは、サブステージ４ｂに設けたギヤ７０がギヤ７１と噛み合うまで下がる。さらに、ステージ４ａが下がるとロック解除レバ６６がステージ４ａに押され回転する。このとき一時プール装置４は図示せぬセンサによりステージ４ａが所定の位置にきたことを検知して図示せぬモータの回転を止めステージ４ａは止まる。
【００２８】
そして、前記ロック解除レバ６６が回転することによりロックレバ７５が回転させられロックポスト７４のロックが解除される。
次に、サブステージ４ｂの開閉動作を説明する。図６は、サブステージ４ｂの開閉動作を示す側面図である。
サブステージ４ｂに設けられたギヤ７０とギヤ７１にはギヤ７０とギヤ７１のバックラッシュを保つための図示せぬピッチリングがそれぞれに設けられており、スプリング７８によりそれぞれのピッチリング同士押しつけることにより両ギヤ７０，  ７１間のバックラッシュを保つ構造になっている。
【００２９】
ギヤが図示せぬモータにより回転することによりギヤ７０とギヤ７０と一体のサブステージＲ６８が回転する。サブステージＲ６８が回転するとサブステージＦ６７のカムローラ７３がカム７２に当たりカム７２に沿って支点８０を中心として折れ曲がる。図６は、サブステージＦ６７が折れ曲がった状態を示している。また、一時プール装置４には、ギヤ７０とギヤ７１が噛み合う位置においてサブステージ４ｂの開および閉を検知する図示せぬセンサが設けられている。このセンサにより図示せぬモータの駆動を止める。
【００３０】
次に、上述した本実施の形態の自動取引装置の動作について説明する。
ここで、紙幣収納庫３には万券のみが収納され、補充回収カセット７のステージ１５ａ上には千券のみが収納され、一時プール装置４のステージ４ａには、千券のみを集積させるものとする。
まず、自動取引装置１内に紙幣を補充する動作を説明する。図７は、補充動作を示す側面図である。
【００３１】
図７において、係員が補充回収カセット７に補充したい紙幣を集積させて、適宜の操作により補充回収動作を開始させると、紙幣は、図中に示す太線のように、紙幣の種別に応じて集積場所を切り替えて集積させる。すなわち、補充したい紙幣を集積させた補充回収カセット７の紙幣は、鑑別部５で鑑別等を行われ、万券であれば一時保留部１０を介して紙幣収納庫３に集積される。千券であれば、まず、数回の出金に対応可能な枚数を、ブレード１９ｃの切り替えにより一時プール装置４のステージ４ａ上に集積し、残りの千券は補充回収カセット７のステージ１５ａ上に集積させる。なお、数回の出金に対応可能な枚数は、実際の運用形態に応じて経験的に決めればよい。例えば、９枚の紙幣でよい。
【００３３】
次に、自動取引装置１内から紙幣を出金する動作を説明する。図８は、出金動作を示す側面図である。
図８において、顧客が顧客操作部２０を操作することにより出金取引が開始される。顧客の本人確認後に出金金額が入力されると、紙幣入出金機２内における出金動作が開始される。
【００３４】
顧客が顧客操作部２０を操作して万券のみを出金指定した場合、主制御部３１は紙幣入出金機制御部３２に対して万券のみを指定枚数出金する指示を出す。紙幣入出金機制御部３２は、万券のみが出金指定された場合、分離繰り出し集積部１１を駆動して紙幣収納庫３内の紙幣（万券）を１枚ずつ指定された枚数繰り出し、紙幣搬送路１８へ送り出す。紙幣収納庫３から繰り出された紙幣は紙幣搬送路１８を鑑別部５へ搬送され、ここで鑑別される。鑑別の結果異常がなければ、紙幣は紙幣搬送路１８をさらに搬送されて接客口６へ送られる。
【００３５】
鑑別の結果異常があると鑑別された紙幣は、切替えブレード１９ａにより搬送方向が切替えられ、紙幣搬送路１８によりリジェクト紙幣収納庫９へ送られてここに収納される。指定枚数繰り出した中に異常券があった場合は、分離繰り出し集積部１１を再駆動して不足分の紙幣を繰り出し、鑑別部５での鑑別結果に応じて接客口６かリジェクト紙幣収納庫９に送り込む。そして、接客口６に指定枚数の紙幣が揃うと、これを放出することで出金動作を終了する。
【００３６】
千券のみが出金指定された場合、一時プール装置４のステージ４ａ上に集積させておいた紙幣を出金枚数分だけ１枚ずつ繰り出し、紙幣搬送路１８へ送り出す。繰り出された紙幣は紙幣搬送路１８上を鑑別部５へ搬送され、ここで鑑別される。鑑別の結果異常がなければ、紙幣紙幣は紙幣搬送路１８をさらに搬送されて一時保留部１０の図示しないシャッタ上へ送られる。鑑別の結果異常があると鑑別された紙幣は、切替えブレード１９ｄにより搬送方向が切替えられ、紙幣搬送路１８によりリジェクト紙幣収納部１７へ送られてここに収納される。指定枚数繰り出した中に異常券があった場合は、分離繰り出し部１２を再駆動して不足分の紙幣を繰り出し、鑑別部５での鑑別結果に応じて一時保留部１０かリジェクト紙幣収納部１７に送り込む。そして、一時保留部１０に指定枚数の紙幣が揃うと、切替えブレード１９ａを作動させて搬送方向を接客口６方向に切替え、該一時保留部１０から紙幣を紙幣搬送路１８へ繰り出し、接客口６に送り込んで、これを放出することで出金動作を終了する。
【００３７】
また、一時プール装置４のステージ４ａ上に集積させておいた紙幣がなくなった場合には、分離繰り出し部１２を駆動して補充回収カセット７のステージ１５ａ上の紙幣（千券）を１枚ずつ指定された枚数繰り出し、紙幣搬送路１８へ送り出す。補充回収カセット７から繰り出された紙幣は紙幣搬送路１８を鑑別部５へ搬送され、ここで鑑別される。鑑別の結果異常がなければ、紙幣紙幣は紙幣搬送路１８をさらに搬送されて一時保留部１０の図示しないシャッタ上へ送られる。鑑別の結果異常があると鑑別された紙幣は、切替えブレード１９ｄにより搬送方向が切替えられ、紙幣搬送路１８によりリジェクト紙幣収納部１７へ送られてここに収納される。指定枚数繰り出した中に異常券があった場合は、分離繰り出し部１２を再駆動して不足分の紙幣を繰り出し、鑑別部５での鑑別結果に応じて一時保留部１０かリジェクト紙幣収納部１７に送り込む。そして、一時保留部１０に指定枚数の紙幣が揃うと、切替えブレード１９ａを作動させて搬送方向を接客口６方向に切替え、該一時保留部１０から紙幣を紙幣搬送路１８へ繰り出し、接客口６に送り込んで、これを放出することで出金動作を終了する。なお、上記出金取引で、一時プール装置４のステージ４ａ上を繰り出したときには、取引終了後に随時所定枚数の紙幣が存在するように、上述したように、補充回収カセット７から搬送して集積させる。
【００３８】
次に、自動取引装置１内に紙幣を入金する動作を説明する。図９は、入金動作を示す側面図である。
図９において、まず、顧客が顧客操作部２０で入金取引を選択して、入金紙幣を接客口６に投入すると、接客口６から入金紙幣を一枚ずつ搬送路１８に繰り出される。繰り出された紙幣は太線で示すように搬送路１８により鑑別部５へ送られ、ここで鑑別される。鑑別の結果、異常と判断された紙幣は太線で示すように、一時プール装置４に収納される。このとき、一時プール装置４のサブステージ４ｂは閉じており、異常券はサブステージ４ｂ上に集積される。サブステージ４ｂ上に集積された異常券は、すべての入金紙幣を取り込んだ後、接客口６へ送り戻されて、顧客に返却される。
【００３９】
上記実施の形態によると、出金紙幣を集積させるとともに集積状態で紙幣を搭載して上下動可能なステージと、ステージの上方に開閉可能に設けられ閉じた状態で入金返却紙幣を一時的に集積するサブステージと、前記サブステージ上方に設けられ、閉じた状態のサブステージ上に紙幣を集積させ、またサブステージが開いた状態ではステージ上に紙幣を集積させるとともにサブステージ上あるいはステージ上の紙幣を繰り出す繰り出し集積機構を有する一時プール装置を備えさせることにより従来の自動取引装置に対し毎回補充回収カセットを戻す動作がなくなり取引間の時間短縮が可能となった。
【００４０】
また、本発明の一時プール装置において、サブステージの開閉をサブステージ回転させカムによりサブステージを折り畳む機構にしたことによりサブステージの退避スペースを小さくすることができ自動取引装置を小型化することが可能となった。
【００４１】
【発明の効果】
以上説明したように本発明の自動取引装置によると、一時プール装置に出金取引が選択される前に一時プール装置のステージ上に所定枚数の紙幣を集積しておき、この紙幣を出金の際に利用することができ、入金の際にはステージ上の紙幣に係わりなく異常な紙幣をサブステージ上に集積して、適宜返却することができるため、入金および出金取引の高速処理化に適し、小型な自動取引装置を提供することができる効果が得られる。
【図面の簡単な説明】
【図１】発明の実施の形態の自動取引装置を示す側面図
【図２】実施の形態の自動取引装置を示すブロック図
【図３】一時プール装置の側面図
【図４】サブステージの斜視図
【図５】ロックレバの解除動作の説明図
【図６】サブステージの開閉動作の説明図
【図７】補充動作を示す側面図
【図８】出金動作を示す側面図
【図９】入金動作を示す側面図
【符号の説明】
３  紙幣収納庫
４  一時プール装置
４ａ  サブステージ
４ｂ  ステージ
５  鑑別部
６  接客口
７  補充回収カセット
１０  一時保留部
【図１】
0003603925.tif 000002
【図２】
0003603925.tif 000003
【図３】
0003603925.tif 000004
【図４】
0003603925.tif 000005
【図５】
0003603925.tif 000006
【図６】
0003603925.tif 000007
【図７】
0003603925.tif 000008
【図８】
0003603925.tif 000009
【図９】
0003603925.tif 000010